Podtech/llm-jp-corpus-v4-ja_patent huggingface dataset:
(57)【要約】      （修正有）【課題】ペットを埋葬するに当り、墓石で埋葬するには高価で、大げさになる為、庶民が、安価で手頃な大きさでみばえのいい墓を提供する。【解決手段】ペットの墓を人間の墓と基本構成は変えずに、小さくして、アルミ製、ステンレス製あるいはスチール製で製作する。墓標１と墓標２は一体物であり、該墓標にはペットの名前、写真などを貼る他、花立３、ローソク立て４、線香立て５を設けて構成する。【選択図】図１
0003143357.tif 000002
【実用新案登録請求の範囲】
【請求項１】
本考案は、ペットとして、長年いつしょうに生活してきた、犬、猫、小鳥、ウサギ、マウス、等、他にもあると思われるが、長年いつしょうに生活して来ると情が、からみ、ペットが亡くなった時、火葬し、埋葬したくても、ペット霊園か、自宅の庭、ペットの生活していた場所が有るが、墓石で埋葬するには高価で、大げさになる為、庶民が、安価で手頃な大きさでみばえのいい墓を、考案、アルミ製、ステンレス製、スチール製で焼付け品などの材料で製作した物が図１のアルミ製、ステンレス製、スチール製で焼付け品、さらに図３、図４、のアルミ製、ステンレス製、スチール製で焼付け品などの材料で製作し、埋葬する場所にオオジタおおきさにし、ペットにオオジタ、ペットの為のペットの墓。
【考案の詳細な説明】
【技術分野】
【０００１】本考案は、ペットとして、長年いつしょうに生活してきた、犬、猫、小鳥、ウサギ、マウス、等、他にもあると思われるが、長年いつしょうに生活して来ると情が、からみ、ペットが亡くなった時、火葬し、埋葬したくても、ペット霊園か、自宅の庭、ペットの生活していた場所が有るが、墓石で埋葬するには高価で、大げさになる為、庶民が、安価で手頃な大きさでみばえのいい墓を考案。
【背景技術】
【０００２】公開番号  特許公開２００４−１２４６２１  ペットの墓とあるが普通の墓を小さくした物で、高価で、庶民的では無いと思われる。【０００３】公開番号  実用新案公開平０６−０７３２６１  装飾体とあるがタイルやプラスチックとあるが、ただの装飾体であってペットの墓ではないと思われる。【０００４】公開番号  実用新案公開平０６−０５４８６６  ペットの墓とあるが普通人には、墓には見えないし、御参りは、どうなさいますか。
【考案の開示】
【考案が解決しようとする課題】
【０００５】  本考案は、ペットとして、長年いつしょうに生活してきた、犬、猫、小鳥、ウサギ、マウス、等、他にもあると思われるが、長年いつしょうに生活して来ると情が、からみ、ペットが亡くなった時、火葬し、埋葬したくても、ペット霊園か、自宅の庭、ヘットの生活していた場所が有るが、墓石で埋葬するには高価で、埋葬したくても埋葬できない為、庭に穴を掘って埋めるか、川に流すと思われる。
【考案が解決するための手段】
【０００６】    ペットの為のペットの墓を、庶民が身近に手に入れやすいようにペットの墓らしく、図１、図３、図４、の形でありながら、アルミ製、ステンレス製、スチール製で焼付け品などの材料で製作し大きさも置く場所や埋葬する場所にオオジタものにする。
【考案の効果】
【０００７】  本考案は、ペットとして、長年いつしょうに生活してきた、犬、猫、小鳥、ウサギ、マウス、等、他にもあると思われるが、長年いつしょうに生活して来ると情が、からみ、ペットが亡くなった時、火葬し、埋葬したくても、ペット霊園か、自宅の庭、ヘットの生活していた場所が有るが、人間も墓に埋葬されますが遺骨は、土に返す物だといわれ、お墓の納骨室は土に成っていて、ペットの墓も土に埋葬した遺骨に土を盛り付け、図１、図３、図４、の形でありながら、アルミ製、ステンレス製、スチール製で焼付け品などをかぶせてペットの墓とする。
【考案を実施するための最良の形態】
【０００８】この考案の実施するための最良の形態を図１、図２、図３、図４、基づいて説明する。【００１０】  ペットの為の墓なので図１、１墓標と図１、２墓は、一体物であり図１、１墓標については、ペットの名前（ワンワンの墓）又、ペットの写真貼る図１、３、図３、３、図４、３は、花立て図１、４、図３、４、図４、４は、ローソク立て図１、５、図３、５、図４、５は、線香立てとし人間の墓と形は余り変えず小さくし材質をアルミ製、ステンレス製、スチール製で焼付け品などで、製作し図２、６断面図はこの墓を固定する為のアンカーをしめしています。【００１１】  図１は、ペットの墓の斜視図であるが、人間の墓に、似ているが、図３も、ペットの墓の斜視図であるが、丸い墓、図４、ペットの墓の斜視図あるが、四角墓と様々な形が簡単に製作できペットの飼い主に満足いただける、ペットの墓が提供できる。
【実施】
【００１２】  ペットが亡くなった時、火葬し、埋葬しますが、ペット霊園か、自宅の庭、ペットの生活していた場所が有るが、人間も墓に埋葬されますが遺骨は、土に返す物だといわれ、お墓の納骨室は土に成っていて、ペットの墓も土に埋葬した遺骨に土を盛り付け図２、断面図に示すように盛り付け上に図１、図３、図４、の形でありながら、アルミ製、ステンレス製、スチール製で焼付け品などをかぶせてペットの墓とする。
【図面の簡単な説明】
【００１２】
【図１】は、人間の墓に、似ているペットの墓の斜視図である。
【図２】は、図１の断面図である。
【図３】は、丸みのあるペットの墓の斜視図である。
【図４】は、四角面を、持ったペットの墓の斜視図である。
【符号の説明】
１−墓標
２−墓
３−花立
４−ローソク立て
５−線香立て
６−アンカー
【図１】
0003143357.tif 000003
【図２】
0003143357.tif 000004
【図３】
0003143357.tif 000005
【図４】
0003143357.tif 000006
【手続補正書】
【提出日】平成20年4月17日(2008.4.17)
【手続補正１】
【補正対象書類名】実用新案登録請求の範囲
【補正対象項目名】全文
【補正方法】変更
【補正の内容】
【実用新案登録請求の範囲】
【請求項１】
アルミ製、ステンレス製、スチール製で焼付け品などの材料で製作し、埋葬する場所に応じた大きさにし、ペットに応じた、ペットの為のペットの墓。
(57)【要約】      （修正有）【課題】携帯性に優れ、戸外においていつでもどこでも手軽に酸素吸入ができる携帯型酸素供給装置を提供する。【解決手段】携帯型酸素供給装置は、気体容器に高圧で収納された酸素を、バルブにより減圧して流出させ、呼吸用気体供給具５により、この流出した酸素を所望の流量（Ｌ／分）で使用者に供給するようにしたことを特徴とする。このため、携帯用酸素供給装置１は、気体容器２本を装着しても、ウォーキング，サイクリング等の時にもハンド・フリーで連続４０分程度酸素吸入ができ、専用ヘッドセットを用いて鼻呼吸ができる。【選択図】図３
0003143358.tif 000002
【実用新案登録請求の範囲】
【請求項１】
気体容器（２）に高圧で収納された酸素を、バルブにより減圧して流出させ、呼吸用気体供給具（５）により、この流出した酸素を所望の流量（Ｌ／分）で使用者に供給するようにしたことを特徴とする携帯型酸素供給装置。
【考案の詳細な説明】
【技術分野】
【０００１】  この考案は、携帯型酸素供給装置に関するものである。
【背景技術】
【０００２】  人が乗席する車両や居住する建物の室内空間に、酸素濃度を高めて爽快感を向上させた綺麗な空気を供給する機能を備えた酸素富加機能付き空調システムが提案されている（特許文献１）。しかしながら、携帯性がなく、戸外で運動を行いながら簡単に酸素供給できる携帯型酸素供給装置は提案されていない。
【特許文献１】  特開２００６−１４５１０７号公報
【０００３】  そこで、この考案は、携帯性に優れ、戸外においていつでもどこでも手軽に酸素吸入ができる携帯型酸素供給装置を提供することを目的とする。また、室内においてもリフレッシュしたい場合に簡単に酸素を供給する携帯型酸素供給装置を提供することを目的とする。
【課題を解決するための手段】
【０００４】  上記目的を達成するため、本考案の携帯型酸素供給装置は、気体容器（２）に高圧で収納された酸素を、バルブにより減圧して流出させ、呼吸用気体供給具（５）により、この流出した酸素を所望の流量（Ｌ／分）で使用者に供給するようにしたことを特徴とする。
【考案の効果】
【０００５】  本考案の携帯型酸素供給装置によれば、１）登山，ウォーキング，サイクリング，自動車の運転中等に酸素吸入する際、ハンズフリーで酸素吸入ができる、２）連続で４０分程度酸素吸入ができる、３）専用ヘッドセットを用いて鼻呼吸ができる、という効果を有する。
【考案を実施するための最良の形態】
【０００６】  以下、本考案の一実施形態について添付図面を参照して詳細に説明するがこれに限定されるものではない。【０００７】  図１は、本考案の一実施形態に係る携帯型酸素供給装置１を模式的に示した外観斜視図である。また図２は、本考案の一実施形態に係る携帯型酸素供給装置１に適用するカヌラを模式的に示した図である。【０００８】  この携帯型酸素供給装置１は、登山，ウォーキング，サイクリング等の戸外で運動を行う時や自動車の運転中等に酸素吸入する際、ハンズフリーで酸素吸入ができる携帯用酸素供給装置である。【０００９】  使用に際してまず、高圧で酸素が収納された気体容器（２）を気体容器収納部（１ａ）に１本ないし２本装着する。次に、カヌラ（５）の先端を、酸素出口（３）に接続する。【００１０】次に、ニードルバルブ構造をした流量設定ダイヤル４を回して、調節することで、酸素出口（３）からカヌラ（５）を経て使用者Ｐに供給される酸素流量（Ｌ／分）が使用者Ｐによって所望の流量に調節され、調節された酸素流量（Ｌ／分）で使用者Ｐに供給される。なお、気体容器（２）１本には、常圧換算で、約９．８Ｌの酸素が収納されている。また、酸素流量（Ｌ／分）は、０．５〜２．０Ｌ／分までほぼ連続的に調節できるようになっている。また、酸素流量０．５Ｌ／分換算で、約４０分間連続供給できる。なお、携帯用酸素供給装置（１）は電源を備えていないが、呼吸同調機能を持たせるために、圧力センサ電源電池を備えてもよい。【００１１】  図２において、（５ａ）は使用者Ｐに酸素を供給する鼻カヌラの先端ノズル、５ｂは耳あて部、（５ｃ）は保持部、（５ｄ）はルーメンを有し、所定の剛性をもつ鼻カヌラの基部である。酸素は、図中矢印で示す方向に流れ、鼻カヌラの先端ノズル（５ａ）から使用者に供給される。【００１２】  図３は、本考案の実施形態に係る携帯型酸素供給装置（１）を実際に使用する場合を示す図である。ショルダー部（１ｃ）で使用者Ｐに携帯用酸素供給装置（１）が保持されている。酸素は、酸素出口（３）、チューブ（５ｅ）、鼻カヌラの基部（５ｄ）、鼻カヌラの先端ノズル（５ａ）を経て患者Ｐの鼻孔に供給される。また、専用ヘッドセットを用いなくても片手で携帯型酸素供給装置（１）本体を保持すれば、本体から酸素を直接吸入することができる。【００１３】  携帯用酸素供給装置（１）は、気体容器（２）２本を装着しても、総重量が６００ｇ程度であり、１）ウォーキング，サイクリング，自動車の運転中等の時にもハンズフリーで酸素吸入ができる、２）連続で４０分程度酸素吸入ができる、３）専用ヘッドセットを用いて鼻呼吸ができる。
【図面の簡単な説明】
【００１４】
【図１】本考案の実施形態に係る携帯型酸素供給装置を模式的に示した図である。
【図２】本考案の実施形態に係る携帯型酸素供給装置に用いるカヌラを模式的に示す図である。
【図３】本考案の実施形態に係る携帯型酸素供給装置を実際に使用する場合を示す図である。
【符号の説明】
【００１５】１  携帯型酸素供給装置
１ａ  気体容器収納部
２  気体容器
３  酸素出口
４  流量設定ダイヤル
５  カヌラ
【図１】
0003143358.tif 000003
【図２】
0003143358.tif 000004
【図３】
0003143358.tif 000005
【手続補正書】
【提出日】平成20年4月22日(2008.4.22)
【手続補正１】
【補正対象書類名】実用新案登録請求の範囲
【補正対象項目名】全文
【補正方法】変更
【補正の内容】
【実用新案登録請求の範囲】
【請求項１】
高圧で酸素を収納する気体容器（２）と、バルブと、呼吸用気体供給具（５）とを備え、該酸素を該気体容器（２）から該バルブを介して、減圧して所望の流量（Ｌ／分）で該呼吸用気体供給具（５）から使用者に供給するようにしたことを特徴とする携帯型酸素供給装置（１）。
(57)【要約】      （修正有）【課題】登山及びハイキングの際、濡れた衣服を、簡便に乾燥できるリュック取り付け用物干しを提供する。【解決手段】小型のハンガーの腕木部分に乾燥させる目的物を固定するため、落下防止機能に優れたクリップ４をぶら下げ、これをリュック等に固定するためにカラビナ１を取り付け、移動中に風通しの良いリュックの背面で乾燥することができる。ハンガーの腕木はその中心部に配置した可動式の支点３で折りたためる機能を付加し、該ハンガーの腕木たカラビナ１の間は、Ｈ型に締結された吊り紐２により連結し、移動によるハンガーの腕木の揺れを最小におさえる。【選択図】図１
0003143351.tif 000002
【実用新案登録請求の範囲】
【請求項１】
登山やハイキングの際歩行中に、濡れ物を乾燥させるためにリュック等の背面に装着するコンパクトな物干し具。
【請求項２】
二つ折または三つ折にしてコンパクト化を図る製品。
【請求項３】
腕木部分をスライドまたは折りたたむ機能を付加し、伸延することによりハンガーとしての機能を持つ製品。
【考案の詳細な説明】
【技術分野】
【０００１】本考案は、登山及びハイキング時の濡れ物を乾かすために、リュック等に取り付けるコンパクトな物干し具を考案したものである。
【背景技術】
【０００２】従来の物干し具は省スペースにより多くの洗濯物を乾かす目的で開発される為、登山及びハイキングの際、不要時の収納が難しい。
また従来の洗濯ばさみの挟持力では死角となる背面で乾かす際脱落の不安が拭えない。
【考案の開示】
【考案が解決しようとする課題】
【０００３】本考案は、登山及びハイキングの際、衣服等が汗等で濡れてしまう。そのままリュックに収納するとリュック内の他の物に湿気や汗の臭いが移ってしまう。本考案はこの課題を解消するためになされたものである。
【課題を解決するための手段】
【０００４】リュック内に容易に収納できる軽量かつコンパクトな物干し具をリュックの背面に装着し、濡れてしまった衣服等を乾燥させるために利用する。また、野外は概ね風があるため脱落しないよう落下しにくいクリップで固定できるようにした。
【考案の効果】
【０００５】移動中に風通しの良いリュックの背面で乾燥することにより、乾いた状態で収納できる。また乾燥している衣服は再度気持ちよく着用することもできる。
【図面の簡単な説明】
【０００６】
【図１】本考案の全体図である。
【図２】本考案をリュックに収納するため二つ折りにした図面である。
【図３】本考案の使用例で、濡れてしまったシャツを干している図である。クリップ４を交差させて固定することにより、脱落を防止する。
【図４】本考案をリュックに装着した図である。とめ具２箇所の図。
【符号の説明】
【０００７】１  本考案をリュックに固定するため、小型のカラビナを使用する。固定箇所１〜２箇所に対応する。
２  リュック背面での揺れを最小に抑えるため、吊り紐をＨ型にする。
３  ビス等で可動式の支点。二つ折りにする。
４  乾燥させる目的物を固定するクリップ。
【図１】
0003143351.tif 000003
【図２】
0003143351.tif 000004
【図３】
0003143351.tif 000005
【図４】
0003143351.tif 000006
【手続補正書】
【提出日】平成20年3月5日(2008.3.5)
【手続補正１】
【補正対象書類名】実用新案登録請求の範囲
【補正対象項目名】全文
【補正方法】変更
【補正の内容】
【実用新案登録請求の範囲】
【請求項１】
小型のハンガーの腕木部分に乾燥させる目的物を固定するため、落下防止性能に優れたキーパークリップをぶら下げ、これをリュック等に固定するためにカラビナ等を利用したコンパクトな物干し具。
【請求項２】
二つ折にしてコンパクト化を特徴とする請求項１記載の物干し具。
(57)【要約】      （修正有）【課題】衣類の落下防止のための滑り止めを、ゴムシートを使い着脱可能にし、それをハンガー本体の加工部分に沿って装着することにより、使用時に見えないよう、そして十分な摩擦を得ることにより、衣類落下防止を可能としたハンガーを提供する。【解決手段】衣服の上衣肩ラインと類似した三角形の本体ハンガー１の両端の最先端部分の外側係止先３及び内側係止先４に、長手方向の両端部に係止穴を設けた滑り止め用ゴムシート５を装着することを特徴とする。【選択図】図１
0003143374.tif 000002
【実用新案登録請求の範囲】
【請求項１】
上衣の肩ラインと類似した三角形のハンガー本体両端に、滑り止めゴムシートを装着する為の２ヶ所の係止片を設け、該係止片には長手方向の両端部に係止穴を設けた滑り止めゴムシートをハンガー本体の両端に装着したことを特徴とする滑り止めハンガー。
【考案の詳細な説明】
【技術分野】
【０００１】この考案は、着脱可能なゴム滑り止めを、本体両端に加工を施し、装着したハンガーに関するものである。
【背景技術】
【０００２】従来、衣類販売店舗において、上衣のハンガーからの落下があり、その為、ハンガー本体に滑り止め用のゴムシートを接着することをしていた。その為、時間の経時変化により、剥がれたり、滑り止めの必要の無いハンガーにもゴムシートが装着され、上衣が取れにくかったり、滑り止めゴムシートが必要ない上衣にも、滑り止め付ハンガーを使用していた。【０００３】従来、衣類販売店舗において、上衣のハンガーからの落下に対し、ハンガー本体の肩部分全体を覆う様に、着脱可能なウレタンフォームを使用していた。その為、ウレタンフォームの強度が非常に弱い為、破れることが頻繁におこり、使い捨ての状況となっている。又、ウレタンフォームの色が黒色の為、販売する上衣の色と合わず、陳列の際、配色の乱れが問題となっていた。【０００４】従来、衣類販売店舗において、上衣のハンガーからの落下に対し、ハンガー本体の両端に各１箇所に係止片を設け、該係止片には円筒状の滑り止めゴムシートを差し込み、滑り止めとして使用してきた。しかしながら、一箇所の係止片では滑り止めの位置が両端の最先端に付けることが、強度の関係から難しくなる。その為、ハンガー本体の最先端より中心方面に取り付けられており、衣服の滑り止めとしての効果が悪く、衣類の胸元の大きく開いた物に対応できない。
【考案が解決しようとする課題】
【０００５】滑り止めゴムシート付ハンガーの購入は、ハンガーの単価が高くなる。又従来型の滑り止めゴムシートを接着することは、接着剤の劣化により、一部剥がれるなど見た目も悪くなる。その為、本考案は滑り止めゴムシートに接着剤を使うことなく、必要なときに必要な数のみ使用ができる、着脱可能なゴムシート滑り止め付ハンガーにより前述の欠点を解決しようとするものある。
【０００６】従来の滑り止め付ハンガーの滑り止め装着位置が、ハンガー両端の最先端よりやや中心側に位置している為、ハンガー両端の最先端部分における、滑りが解消されず上衣が落下する。本考案は、ハンガー本体の両端の最先端に各２箇所の係止片を設けることにより、ハンガー本体の両端の先端部分に滑り止めを装着が可能にし、上衣の落下を防止するものである。又ハンガー本体両端に各２箇所に係止片を設けることは、今まで、各１箇所のみの係止片で本体両端の最先端部分に滑り止めを装着することが、ハンガー本体強度の問題から不可能だった問題を解決するものである。
【０００７】従来の滑り止め付ハンガーは、上衣がハンガーから落下するのが問題となっている、これは、ハンガーの滑り止めと上衣との十分な摩擦を得られず落下する。
本考案では、適切な摩擦を得るため、すべり止めの位置を従来の位置より外側とし、ハンガー両端の最先端部分に装着、そして装着する滑り止めゴムシートは、適切な摩擦を得るため表面に凸凹を施した。
【課題を解決するための手段】
【０００８】請求項１に記載の考案は、上衣の肩ラインと類似した三角形の本体両端の、最先端部分に滑り止めを装着する為に、各両端部分の中心に近い側に一箇所、中心より遠い側に一箇所の係止片を設け、該係止片には上衣の落下防止を目的としたハンガーに装着する為の、滑り止めをゴムシートで作り、該ゴムシートの両端に係止穴を設け、ハンガー本体長手方向に装着したことを特徴とする、着脱可能滑り止め付ハンガーである。
【考案を実施するための最良の形態】
【０００９】本考案の一実施の形態について図面を参照して詳細に説明する。【００１０】図１に示す本考案のハンガーは、衣服の上衣肩ラインと類似した三角形のハンガー１と、このハンガー１の三角形頂点部分に、ハンガー１に差し込み、上部吊り下げ部分を設けたフック２を有し、ハンガー１の両端の最先端部分に滑り止めゴムシート５を装着する為の、ハンガー１の各両端部分の中心に近い側に内側係止片３を一箇所、中心より遠い側に外側係止片４を一箇所設ける。【００１１】図２に示す本考案のハンガーに用いる滑り止めゴムシート５は、上衣との摩擦により衣類の落下を防止するためゴムで作り、その両端に係止穴６、６を開けることにより、係止穴６、６を図１の内側係止片３及び外側係止片４に引っ掛ける。又、上衣との摩擦係数を上げる為、滑り止めゴムシート５の表面に凹凸部分７を加工すると良い。【００１２】図３に示す考案は、図１で示したハンガー１の両端の内側係止片３及び外側係止片４に、滑り止めゴムシート５の係止穴６、６を引っ掛け、ハンガー１両端の上面の形に沿わせて、凹凸部分７上面が見えるように装着する。【００１３】図３に示す考案には接着剤を使うことなく、滑り止めゴムシート５の伸縮を利用することでハンガー１に装着する。
【考案の効果】
【００１４】以上に説明したように本考案によれば、滑り止めゴムシートを自在に取り付け、取り外すことが可能になり、滑り止めに接着剤を使用しないので剥離しない。又、滑り止めゴムシートをハンガーの両端の最先端部分に装着することにより、衣類との十分な摩擦を得ることにより、衣類落下防止することが可能である。
【００１５】滑り止めゴムシートを、ハンガーの両端の一部のみに装着することにより、衣類をハンガーに掛けたとき、滑り止めゴムシートが隠れ、商品展示時の配色のばらつきの問題が解消される。
【考案を実施するための最良の状態】
【００１６】以上の構成から、ハンガーから上衣の落下の恐れがある場合、上衣の肩ラインと類似した三角形のハンガー両端の係止片に、滑り止めゴムシートの係止穴を引っ掛けて滑り止めゴムシートを装着することにより、上衣のハンガーからの落下防止となる。又、滑り止めゴムシートを使用しない際には、取り外しを行い保管することができる。
【図面の簡単な説明】
【図１】本考案の一実施の形態による衣類ハンガーを示す正面図である。
【図２】本考案の一実施の形態による、滑り止めゴムシートの平面図である。
【図３】衣類ハンガーに、滑り止めゴムシートを取り付けたハンガーの一部拡大した図である。
【符号の説明】
１ハンガー
２フック
３内側係止片
４外側係止片
５滑り止めゴムシート
６係止穴
７凹凸部分
【図１】
0003143374.tif 000003
【図２】
0003143374.tif 000004
【図３】
0003143374.tif 000005
(57)【要約】      （修正有）【課題】デザイン性に優れ子供用等として好適に用いられるおにぎり等の包装袋を提供する。【解決手段】２枚のシート３の重ね構造で、内部にご飯塊２０の収納部７を備えるとともに、一端にご飯塊７の差し入れ口９を備えるご飯塊の包装袋において、シート３の表面の収納部７に対応する位置に、所定立体物の表面意匠を形成するための模様１０が付されてなることを特徴とするご飯塊の包装袋。【選択図】図１
0003143377.tif 000002
【実用新案登録請求の範囲】
【請求項１】
２枚のシートの重ね構造で、内部にご飯塊の収納部を備えるとともに、一端にご飯塊の差し入れ口を備えるご飯塊の包装袋において、
前記シートの表面の前記収納部に対応する位置に、所定立体物の表面意匠を形成するための模様が付されてなることを特徴とするご飯塊の包装袋。
【請求項２】
前記模様が動物の顔模様であり、前記シートの縁に一体に一対の突出部が形成され、そこに動物の耳模様が付されてなる請求項１記載のご飯塊の包装袋。
【考案の詳細な説明】
【技術分野】
【０００１】  この考案は、おにぎり等のご飯塊の包装袋に関する。
【背景技術】
【０００２】  最近では、家庭用のおにぎり包装袋が提供されている。この包装袋はプラスチックス製の袋であり、家庭で作ったおにぎりが入れられてお弁当用等として携帯され、食べる際に袋が破られておにぎりが取り出されるようになっている。
【考案の開示】
【考案が解決しようとする課題】
【０００３】  この考案では、デザイン性に優れ子供用等として好適に用いられるおにぎり等の包装袋を提供することを目的とする。【０００４】  この考案では、２枚のシートの重ね構造で、内部にご飯塊の収納部を備えるとともに、一端にご飯塊の差し入れ口を備えるご飯塊の包装袋において、前記シートの表面の前記収納部に対応する位置に、所定立体物の表面意匠を形成するための模様が付されてなることを特徴とするご飯塊の包装袋を提供する。【０００５】  上記構成によれば、収納部にご飯塊が収納されて所定立体物の表面意匠を形成するための模様が付されたシート表面が膨らむと、包装袋はその部分において所定物体の形態を呈するようになる。これにより、包装する者、また、包装物を携帯し食する者がそれを楽しむことができ、特に子供のお弁当等に用いた場合にはその楽しみが多大なものとなる。【０００６】  所定立体物は立体形態を持つ適宜のものであってよく、動植物の全体形態やその一部、自動車等の乗り物、スポーツ用品、身の回り品等全てのものが適用でき、例えば、模様が動物の顔模様とされ、シートの縁に一対の突出部が一体に形成され、そこに動物の耳模様が付されてなる構成とすることで、リアルな動物顔の包装形態が得られる。【０００７】  シートとしては、プラスチック材、紙材等適宜の材料が選択使用できる。
【考案の効果】
【０００８】  この考案の包装袋によれば、おにぎり等の包装形態が動物やその他の楽しい立体形態とできるようになり、この考案の包装袋は子供のお弁当用の包装材としてきわめて有効に用いられる。
【考案を実施するための最良の形態】
【０００９】  図１はこの考案のご飯塊の包装袋の実施形態の外観斜視図である。【００１０】  包装袋１は、重ねられた２枚のプラスチック製のシート３、３の周縁の下縁を除く部分が溶着されて袋状に形成され、上側内部がおにぎり（ご飯塊）の収納部７とされ、下縁の溶着されない部分が差し入れ口９とされている。【００１１】  シート３、３は下側にいくに従ってロート状に広がる形状で、表面側のシート３面の収納部７に対応する位置には表面意匠形成用の模様としての「熊の顔」の模様１０が印刷により付されており、さらに、表面側のシート３の上部両側縁部には突出部５、５のそれぞれが一体に形成されており、その突出部５、５それぞれには「熊の顔」の模様１０に連続する「耳」の模様１１、１１が印刷により付されている。また、表面側シート３の上端近傍には、表面側シート３の引き裂きの際の指掛け部１３が切り込みにより設けられており、表面側シート３の内面にはその指掛け部１３から下方側に引き裂き案内テープ１６が貼り付けられている。【００１２】  図２は収納部７内におにぎり（ご飯塊）２０を収納した状態を示す外観斜視図、図３は同断面図である。おにぎり２０を、図１の状態において、差し入れ口９を開き、そこから上奥方に差し入れて収納部７内に位置させ、差し入れ口９をシート３、３の下部８、８を適宜折り重ね、シール片１４を貼る等して閉じ、これにより包装袋１でおにぎり２０を包んだ状態とする。おにぎり２０の取り出しは、指掛け部１３を持って下方に引き下ろすことで引き裂き案内テープ１６と一体にシート３が破れてシート３が引き裂かれ、これにより容易におにぎり２０が取り出される。【００１３】  上記のおにぎり２０が包まれた状態においては、表面側シート３はそのおにぎり２０の表面形態に沿って膨らむ状態となる。そして、その部分の表面に「熊の顔」の模様１０が付されていることで、おにぎり２０の包まれた包装袋１はその表面側において立体的な「熊の顔」形態を呈するものとなる。その際、「耳」の模様１１、１１が突出部５、５上にあって「耳」が「顔」部分に連続して位置するので、「熊の顔」形態はよりリアルなものとなる。【００１４】  図４は包装袋１の他の実施形態を示し、このものでは表面側のシート３の表面に「サッカーボール」の模様１０が付されており、包装形態とされることでその表面側において立体的な「サッカーボール」の形態を呈するものとなる。
【図面の簡単な説明】
【００１５】
【図１】  この考案の包装袋の実施形態の外観斜視図
【図２】  この考案の包装袋の実施形態のおにぎり収納時の外観斜視図
【図３】  この考案の包装袋の実施形態のおにぎり収納時の断面図
【図４】  この考案の包装袋の他の実施形態の正面図
【符号の説明】
【００１６】  １    包装袋
３    シート
７    収納部
９    差し入れ口
１０  模様（表面意匠形成用の模様）
２０  おにぎり（ご飯塊）
【図１】
0003143377.tif 000003
【図２】
0003143377.tif 000004
【図３】
0003143377.tif 000005
【図４】
0003143377.tif 000006
(57)【要約】      （修正有）【課題】転倒時に頭部に受ける衝撃を緩衝する為の装着用具を提供する。【解決手段】転倒時にその衝撃を緩衝する為に用いる頭部保護用環（リング）であって、帯状に形成された芯材と、当該芯材の表面及び裏面の少なくとも何れかの面に設けられたシート状の緩衝用資材とから成り、全体形状が環状（リング状）であることを特徴とする。一例として、身近にある段ボール板紙に気泡緩衝材を巻きつけ、帯状にし、それを対象者の頭部に装着して使用する。【選択図】図１
0003143380.tif 000002
【実用新案登録請求の範囲】
【請求項１】
転倒時に、その衝撃を緩衝する為に用いる頭部保護用環であって、帯状に形成された芯材と当該芯材の表面及び裏面の少なくとも何れかの面に設けられたシート状の緩衝用資材とから成り、全体形状が環状に形成された頭部保護用環。
【考案の詳細な説明】
【技術分野】
【０００１】  本考案は、特に乳幼児がハイハイから掴まり立ちを始める時期に多発する、転倒の際の頭部保護を目的とした用具であり、身近な材料で簡単に手作りできる特徴を持つ。
【背景技術】
【０００２】  頭部保護用具としては、従来からヘルメットや帽子などがあるが、ヘルメットの場合頑丈である反面、重量が重く幼児をはじめとする転倒の危険が考えられる高齢者や身体の不自由な人には、その重量が身体的負担になり活動も制限され不向きである。【０００３】  また、帽子やバンダナ等は軽量ではあるが、擦過傷程度の頭部の保護には適しても転倒時の衝撃から頭部を保護するには適さない。【０００４】  一方、転倒時に危険と思われる床面、家具、その他の硬い物体等の対象物に対して保護材や緩衝材を取り付けるとしても、コストがかかり、行動範囲も限定される。【０００５】  加えて、危険回避のために常に回りに監視の為の人を必要として、多くの時間と労力を割かなければならない。
【考案の開示】
【考案が解決しようとする課題】
【０００６】  乳幼児をはじめとする、転倒の危険が考えられる高齢者や、身体の不自由な人の転倒、衝突等の衝撃から、頭頂部を除く頭部全体を保護することを課題とする。
【課題を解決するための手段】
【０００７】  前記課題を解決する為に、本考案では転倒時にその衝撃を緩衝する為に用いる頭部保護用環（リング）であって、帯状に形成された芯材と、当該芯材の表面及び裏面の少なくとも何れかの面に設けられたシート状の緩衝用資材とから成り、全体形状が環状（リング状）を提供する。【０００８】  本考案は身近に存在する帯状の芯材とシート状の緩衝用資材を利用して、手軽に手作り可能なものである。【０００９】  帯状の芯材は段ボール、プラスチック等を利用できる。また、緩衝用資材としては、例えば気泡緩衝材（エアクッション、プチプチマット等の名称で入手可能）を使用する事ができる。その他にも綿やウレタンなども使用できる。
【考案を実施するための最良の形態】
【００１０】  本実施形態では、素材が段ボール板紙とプチプチマットであるので、非常に軽量で乳幼児、高齢者，身体の不自由な人の身体的な負担にもならず、常時装着も可能である。【００１１】  また、プチプチマットが透明であるため、芯の部分の段ボール板紙に彩色やデザインを自由に施すことが可能で、ファッション性にも優れている。【００１２】  材料が段ボール板紙とプチプチマットと両素材を貼り付ける両面テープであるため極めて廉価で手軽である。【００１３】  装着対象者の耳の付け根から頭頂部までの高さを幅とし、頭部の周囲を長さとした段ボール板紙を使用し、長さは段ボール板紙の段の流れ方向とする。【００１４】  段ボール板紙の段高はＡ段とし、材質はＣ，Ｄ級の比較的低級の軟らかめのものを使用することにより完成時の装着感が増し、ズレやはずれを防ぐことができる。【００１５】  使用するプチプチマットは市販の規格品で粒の直径が２０ｍｍで、幅は段ボール板紙の長さと同寸法、長さは段ボール板紙の幅の３倍とする。【００１６】  段ボール板紙の内側になる面とプチプチマットの平らな面を両面テープで貼り付け、残りのプチプチマットを段ボール板紙に巻き付け、両面テープで固定する。【００１７】  その結果、内側が二重で外側が一重のプチプチマットで包まれた段ボール板紙を芯とした細長い形状のものが出来上がる。【００１８】  細長い形状のものをプチプチマットの二重の面を内側にして装着対象者の頭部の周囲の長さにあわせて切断し環状（リング状）にし、突合せ部分を幅広の透明なテープで２〜３重まきにして固定する。【００１９】  必要に応じて、はずれ防止の顎紐等の装着は可能である。
【図面の簡単な説明】
【００２０】
【図１】本考案による頭部保護用環を示した全体図である。
【図２】本考案の一部切欠断面図である。
【符号の説明】
【００２１】  １  段ボール板紙の芯
２  一重の緩衝用プチプチマット
３  二重の緩衝用プチプチマット
４  接合用の透明テープ
５  外側の緩衝用プチプチマット
６  段ボール板紙の芯
７  内側の緩衝用プチプチマット
８  内側の二重目の緩衝用プチプチマット
【図１】
0003143380.tif 000003
【図２】
0003143380.tif 000004
(57)【要約】      （修正有）【課題】編む必要のない網体を提供する。【解決手段】所要数の樹脂バンドを格子状に配置し、その交差部を固着した網体である。この網体を使用すれば、適度な柔軟性を有するとともに防獣のために必要な噛み切り強度を備えた網体を製造することができる。また、編む必要がないため、従来必要とした機械が不用となり、この結果、生産コストを低額化することができるとともにその製造にあたって手間がかからないものである。さらに、全体的に剛性を維持することができるため、繋げる際には樹脂バンドの端縁同志を重ねた状態で固着具（かしめ具等）によって締め付け固定するのみでよいため、網体同志の連結が簡易にできる。樹脂バンド同志の固着を固着具によってかしめれば、結節部の強度が優れた網体を簡易に製造することができる。樹脂バンド同志の固着を溶着によって行えば、結節部の外観が滑らかな網体を製造することができる。【選択図】図２
0003143136.tif 000002
【実用新案登録請求の範囲】
【請求項１】
所要数の樹脂バンドを格子状に配置し、その交差部を固着したことを特徴とする網体。
【請求項２】
前記固着が固着具によってかしめることを特徴とする請求項１の網体。
【請求項３】
前記固着が溶着であることを特徴とする請求項１の網体。
【考案の詳細な説明】
【技術分野】
【０００１】
この考案は網体に関するものであり、特に、防獣用として使用されるものである。
【背景技術】
【０００２】
従来におけるこの種の網体は、合成樹脂製の編み糸と金属線とを合糸したものを編み機によって、編むことによって製造されていた。
【０００３】
【特許文献１】実用新案登録第２５３３０００号公報
【考案の開示】
【考案が解決しようとする課題】
【０００４】
しかしながら、かかる従来の網体にあっては、編む必要上、編み糸及び金属線をある程度以上太くすることができず、この結果、防獣のため必要とされる噛み切り強度を備えた網体を製造することができないという不都合を有した。
【０００５】
また、編む必要上、大きな機械を必要とするため、生産コストが高額化するとともにその取扱いに手間がかかるという不都合を有した。
【０００６】
さらに、編む必要上全体的に柔軟であるため、繋げる際に隙間が発生しないように、各々の網体の端縁を重ね、連結紐で結ばなければならないという不都合を有した。
【０００７】
この考案の課題はこれらの不都合を解消することである。
【課題を解決するための手段】
【０００８】
前記課題を達成するために、この考案に係る網体においては、所要数の樹脂バンドを格子状に配置し、その交差部を固着したものである。
なお、前記固着を固着具によってかしめることもできる。
また、前記固着を溶着によって行うこともできる。
【考案の効果】
【０００９】
この考案に係る網体は上記のように構成されているため、即ち、
所要数の樹脂バンドを格子状に配置し、その交差部を固着したものであるため、絡ませることなく網体を製造することができるものである。
【００１０】
よって、この網体を使用すれば、適度な柔軟性を有するとともに防獣のために必要な噛み切り強度を備えた網体を製造することができるものである。
【００１１】
また、編む必要がないため、従来必要とした機械が不用となり、この結果、生産コストを低額化することができるとともにその製造にあたって手間がかからないものである。
【００１２】
さらに、全体的に剛性を維持することができるため、繋げる際には樹脂バンドの端縁同志を重ねた状態で固着具（かしめ具等）によって締め付け固定するのみでよいため、網体同志の連結が簡易にできるものである。
【００１３】
なお、網体を形成するにあたって、樹脂バンド同志の固着を固着具によってかしめれば、結節部の強度が優れた網体を簡易に製造することができる。
【００１４】
また、樹脂バンド同志の固着を溶着によって行えば、結節部の外観が滑らかな網体を製造することができる。
【考案を実施するための最良の形態】
【００１５】
本考案の網体は、所要数の樹脂バンドを格子状に配置し、その交差部をかしめることにより又は溶着によって固着したところに最も主要な特徴を有する。
【実施例１】
【００１６】
以下、この考案の実施例を説明する。
図１はこの考案に係る網体の使用状態図、図２は図１におけるII部拡大図、図３は隣り合う網体同志の連結部の拡大図である。
【００１７】
図１において、Ｇは大地、10,10 はこの大地に所定間隔で立設された支柱である。20,20 は横ポールであり、この支柱10,10 の間に略平行に架け渡されている。これらの横ポール20,20 は連結金具，ねじ，針金，紐等の通常の連結手段21,21,…で前記支柱10,10 に締め付け固定されている（図２を参照のこと）。なお、前記横ポール20,20 の代わりに、ロープを使用することもできる。
【００１８】
Ｗは網体であり、前記支持具10,10 と前記横ポール20,20 とによって囲まれた略長方形の範囲に張設されている。この網体Ｗはこの考案に関するものであり、この実施例では防獣用として使用されている。
【００１９】
図２および図３に基づいてこの網体Ｗを詳述する。                                      
【００２０】
図において、30,30,…は樹脂バンドであり、格子状に配置され、その交差部は固着具（かしめ具，連結ステーブル等）31又は溶着によって固定されている。この樹脂バンド30はポリエステル，ポリプロピレン等の合成樹脂によって、テープ状に形成されたものである。
【００２１】
この網体Ｗの上端縁は、前記樹脂バンド30,30,…の上端縁を前記横ポール20（上部の）に環状に巻き付けた状態で、かしめ具50によって締め付けることにより固定されている。同様に、前記の網体Ｗの左端縁は、前記樹脂バンド30,30,…の左端縁を前記支柱10（左側の）に環状に巻き付けた状態で、、かしめ具50によって締め付けることにより固定されている。なお、図示はしないが、前記網体Ｗの下端縁および左端縁も同様にかしめ具によって固定されている。
【００２２】
次に、隣り合う網体Ｗ，Ｗ同志の連結は、図３に示すように、各々の樹脂バンド30,30,…の隣り合う端縁部同時を重ね合わせ、その重ね合わせた部分をかしめ具60,60,…に締め付け固定したものである。
【産業上の利用可能性】
【００２３】
適度な柔軟性を有するとともに防獣のために必要な噛み切り強度を備えた網体を製造することができ、且つ、生産コストを低額化することができるとともにその製造にあたって手間がかからず、さらに、網体同志の連結が簡易にできるできるため、網体としてその利用可能製は極めて高いものである。
【図面の簡単な説明】
【００２４】
【図１】図１はこの考案に係る網体の使用状態図である。
【図２】図２は図１におけるII部拡大図である。
【図３】図３は隣り合う網体同志の連結部の拡大図である。
【符号の説明】
【００２５】
Ｇ  …  大地
Ｗ  …  網体
10  …  支柱
20  …  横ポール
21  …  針金，紐等の通常の連結手段
30  …  樹脂バンド
50  …  かしめ具
60  …  かしめ具
【図１】
0003143136.tif 000003
【図２】
0003143136.tif 000004
【図３】
0003143136.tif 000005
(57)【要約】【課題】遺体に容易に装着できるようにすると共に衣装の前に手を組ませるようにする。【解決手段】遺体用衣装の基本形状はケープ１であり、背面側は開いた状態のままであり、必要に応じて首部に面ファスナーを設けて、遺体に装着した際の首周りが乱れないようにしている。また、装飾として首、裾にフリル１１が設けてある。体前面側は死者の手が、装着した衣装の上側に出せるようにケープ１の中央部にスリット１２が形成してある。スリット１２の縁には装飾のフリルを適宜形成する。死者の手はこのスリットをとおして衣装の前面に出せるので、手を胸の上に組ませることによって、見送る人々に死者が安らかな状態にあることを示す。  本考案の遺体用衣装を着用させる前に手が胸で組まれた状態であっても、ケープ１を遺体に装着し、スリット１２から組んだ状態の手を衣装の前面に容易に出すことができる。【選択図】図１
0003143110.tif 000002
【実用新案登録請求の範囲】
【請求項１】
背開きのケープであって、前面中央部に手を前面に露出させるためのスリットが形成してある遺体用の衣装。
【請求項２】
請求項１において、スリットが中央部に間隔をおいて２個形成してある遺体用の衣装。
【請求項３】
請求項１または２において、スリットの周囲にフリルが設けてある遺体用の衣装。
【考案の詳細な説明】
【技術分野】
【０００１】
本考案は、葬儀の際に死者に装着する衣装であって、遺体に容易に着用させるものに関する。
【背景技術】
【０００２】
仏式の葬儀においては、一般に、遺体には白い晒し木綿の経帷子の着物を着用させ、足には白足袋、手には手甲を着用させるが、故人が愛用した服を着用させることもおこなわれている。
また、近年、若くして死亡した女性にウェディングドレスを模した白いドレスを着せたり、また、大学卒業目前に死亡した女性に卒業衣装を着用させるなど、死者が生存中に経験できなかった衣装を着用させて旅立たせることがおこなわれるようになってきた。
しかし、遺体は、死後硬直があるため、通常の衣装を着用させるには人数を要していた。
【０００３】
そこで、着用が容易な遺体用の衣装として特許文献１（実用新案登録第３１００８５５号公報）には、遺体の胸部付近を上衣部で包み、左右の袖部によって左右の腕を包みこみ、下衣部により下半身を包むようになっており、上衣部、下衣部、袖部等を１枚のシート状とする衣装が提案されている。
【０００４】
また、特許文献２（実用新案登録第３１２６１７５号）には、１枚の布地によって形成され、布地の一端側と、対応する他端側とを面ファスナーで重ね合わせた身頃と左右の袖とを備え、身頃胸部に胸当てを設けると共に冷却材を収納するポケットを設けた遺体用衣装が開示されている。
【特許文献１】実用新案登録第３１００８５５号公報
【特許文献２】実用新案登録第３１２６１７５号公報
【考案の開示】
【考案が解決しようとする課題】
【０００５】
しかしながら、１枚のシートで構成したものでは、衣装のデザインに制約があり、好みのデザインとすることができなかった。
本考案は、遺体への装着を容易にして装着に際しての労力の軽減を図ると共に、死者が安らかな状態にあることを見送る者達に見せることができるようにするものである。
【課題を解決するための手段】
【０００６】
背開きのケープであって、前面中央部に手を前面に露出させるためのスリットを形成した遺体用の衣装である。
【考案の効果】
【０００７】
遺体に装着する際の作業負担を大幅に低減することができると共に、また、中央のスリットから組んだ手を装束の上側に容易に露出させることができる。
【考案を実施するための最良の形態】
【０００８】
以下、本考案の遺体用衣装について添付図面を参照して説明する。
図１に前面を、図２に背面を示すように、遺体用衣装の基本形状はケープ１であり、背面側は開いた状態のままであり、必要に応じて首部の合わせ目と背開き部の合わせ目に面ファスナー１０を設け、遺体に装着後に乱れないようにしてある。また、装飾として背開き部の首、裾にフリル１１が設けてあり、首部分のフリル１１は、面ファスナー等で着脱自在とすると遺体への装着が容易である。また、ケープの裾部分は、遺体の足より３０ｃｍ程度長くしてあり、遺体を持ち上げたりする必要が生じた場合、裾が乱れても足が露出する恐れがないようにする。ケープ１の生地は、サテン、シルクが好ましいが、故人の趣味によって適宜の生地を使用する。
【０００９】
体の前面側には、装着した衣装の上側に手が出せるようにケープ１の中央部にスリット１２が形成してある。スリット１２の縁には装飾のフリルを１１適宜形成する。このスリット１２をとおして手を衣装の前面に出せるので、手を胸の上に組ませることによって、見送る人々に死者が安らかな状態にあることを示す。
また、スリット１２が形成してある本考案の遺体用衣装を装着する前に手が胸で組まれた状態であっても、ケープ１を遺体に装着させた後、スリット１２から組んだ状態の両手を衣装の前面に容易に出すことができる。
この実施例では、スリット１２は中央に１つ設けてあるが、スリット１２を二つ中央両脇に設け、片手づつ衣装の上面に出すようにしてもよい。
なお、図示していないが、ケープに透ける布地を使用する場合は、遺体が透けて見えないように裏地を取り付ける。
【図面の簡単な説明】
【００１０】
【図１】実施例の遺体用衣装の正面図。
【図２】実施例の遺体用衣装の背面図。
【符号の説明】
【００１１】
１    ケープ
１２  スリット
【図１】
0003143110.tif 000003
【図２】
0003143110.tif 000004
(57)【要約】      （修正有）【課題】収納の分野で下駄箱やシューズ棚等に片足分のスペースで１足の靴等履物類を整理収納する靴収納ラックを提供する。【解決手段】従来の物は下部フレーム及び上部フレームの上に靴を収納し大サイズのラックを必要としたが、フレームをＳ型の形状にして靴の片方に前記下部フレームを差込み、次ぎの片方の靴を前記上部フレームに差し込むことにより小サイズのラックで整理収納することを可能にした。【選択図】図４
0003143108.tif 000002
【実用新案登録請求の範囲】
【請求項１】
フレームをS型の形状とし片方の靴を下部フレームに差し込み次の片方の靴を上部フレームに差し込むことによりシューズ棚や下駄箱等に片足分のスペースで１足の靴等履物類を整理収納する事が可能なラック。
【考案の詳細な説明】
【技術分野】
【０００１】
本考案は収納の分野で下駄箱やシューズ棚等に片足分のスペースで１足の靴等履物類を整理収納するラックに関するものである。
【背景技術】
【０００２】
従来から片足分のスペースで１足の靴等履物類を整理収納するラックがあった。
【考案の開示】
【考案が解決しようとする課題】
【０００３】
従来の物はフレームがコ字型の形状で出来ており、輸送や梱包時及び使用しない時の保管時に大スペースを必要とし、又大重量である。
【課題を解決するための手段】
【０００４】
従来の物はフレームがコ字型の形状で出来ており使用時、輸送時や梱包時及び使用しない時に、大スペースを必要としたがフレームをＳ型の形状に変更することにより従来の物の約４分の１のスペース及び約３分の１の小重量になることを可能にした。
【考案の効果】
【０００５】
従来の物は下部フレーム及び上部フレームの上に靴を収納し大サイズのラックを必要としたが、フレームをＳ型の形状にして靴の片方に前記下部フレームを差込み、次ぎの片方の靴を前記上部フレームに差し込むことにより小サイズのラックで整理収納することが出来る。
【考案を実施するための最良の形態】
【０００６】
「図１」正面図
「図２」左側面図
「図３」右側面図
「図４」従来の物の図及び今回考案の物の図
「図１~図３」の符号
１  下部フレーム
２  上部フレーム
【図面の簡単な説明】
【０００７】
【図１】正面図
【図２】左側面図
【図３】右側面図
【図４】従来の物の図及び今回考案の物の図
【符号の説明】
【０００８】
１  下部フレーム
２  上部フレーム
【図１】
0003143108.tif 000003
【図２】
0003143108.tif 000004
【図３】
0003143108.tif 000005
【図４】
0003143108.tif 000006
(57)【要約】      （修正有）【課題】何人でも極めて簡単に組み立てて構成することができ種々の組み合わせ構成とその展開を可能かつ簡単にし、極めて汎用性に優れた自在飾り壁掛け棚を提供する。【解決手段】柱状の溝の入った角材に、溝に合った形状部材を抜脱自在に差し込み固定して棚を構成し、柱部材は裏面に壁に固定したネジに引っ掛けて固定できるよう加工する。【選択図】図５
0003143104.tif 000002
【実用新案登録請求の範囲】
【請求項１】
角材等に入れた溝に板を差し込み固定し、差し込む高さ・位置・方向・枚数によって、さまざまな形に変わることを特徴とする角材は壁面に固定したネジに引っ掛けて固定する自在飾り壁掛け棚。
【考案の詳細な説明】
【技術分野】
【０００１】
この考案は自在棚に関し、特に壁掛け型の組み立て自在棚に関する。
【背景技術】
【０００２】
従来技術としては、実願平10-5177号公報等に記載されたものがある。また、現在                                                      
使用されている棚としては、載置型や吊り下げ型や壁掛け型などの様々なタイプが
あり、棚の使用目的も、整理棚などの実用的なものから、サイドボードなどに載置
する装飾性の高い棚もある。この考案は、このうち壁掛け型で使用者の好みにより
所望形状に変化させて楽しむことが出来る装飾性の高い自在棚である。一般に棚と
いうものはその機能上物品を安定した状態で置く事が出来るように両端で棚を支え
るという原則がある。棚板の高さ調整を除き、棚の全体形状は不変である。棚を支
える支点は両端である必要性はなく、一点でさらに限られていなければ変化があり、
おもしろい。使用者の好みにより随時棚の形状が変化出来るものがあればなおさら
よい。      
【特許文献１】実願平10-5177号公報
【考案の開示】
【考案が解決しようとする課題】
【０００３】
前記した従来の構造の組み立て式棚は  両端２箇所で、棚を支えるため壁面用
飾り棚としては装飾性に欠け、また、取付けや組み立ても困難であった。
【０００４】
この考案は縦部材である角材の溝のどの位置にも棚板を差し込むことが出き、使用
者の好みによって棚の全体形状を安易に大きく変えることができかつ、家具として
の美観も損なものとすることができるという課題を解決しようとするものである。
【課題を解決するための手段】
【０００５】
角材は壁面に固定したネジに引っ掛けて固定し、角材に入れた溝に板を差し込み
１箇所で棚を固定し、差し込む高さ・位置・方向・枚数によって、さまざまな形に
変わることを特徴とする角材は壁面に固定したネジに引っ掛けて固定する自在飾り
壁掛け棚に構成するものである。
【考案の効果】
【０００６】
上述の様に本考案の自在棚は、使い勝手がよく組み立てが簡単で使用者の好みによ
りいく通りにも簡単に形状を変化させることができ、非常にシンプルな構造の為、
安価でまた美観を保つことができる。
【考案を実施するための最良の形態】
【０００７】
以下、図面と共に本考案の実施形態について説明する。図１は本考案の組み立て式
棚を構成する柱部と棚板の平面、図２は、側面図、図３は正面図、図４は裏面図、
図５は、柱部材と棚板部材の挿入結合状態を示す図である。
【０００８】
図２、図3、で示すように、本考案の組み立て式棚を構成する柱部材には、横方向
に溝１が形成されている。溝の深さは棚板２に結合させるべく、その厚みより若干
大きな寸法としている。
【０００９】
図４では、壁面等に取付けをするための穴加工４をし、壁面にネジ・ビス等を固定
し、穴加工３に引っ掛けて柱部材を固定する。
【図面の簡単な説明】
【００１０】
【図１】本考案の組み立て式棚を構成する柱部材と棚板の平面図である。
【図２】本考案の組み立て式棚を構成する柱部材と棚板の側面図である。
【図３】本考案の組み立て式棚を構成する柱部材と棚板の正面図である。
【図４】本考案の組み立て式棚を構成する柱部材と棚板の裏面図である。
【図５】本考案の組み立て式棚の全体の図面である。
【符号の説明】
【００１１】
・  本考案の柱部材
・  柱部材の溝
・  本考案の棚板
・  柱部材の凹状物
【図１】
0003143104.tif 000003
【図２】
0003143104.tif 000004
【図３】
0003143104.tif 000005
【図４】
0003143104.tif 000006
【図５】
0003143104.tif 000007